(57)【特許請求の範囲】
【請求項１】
一方の装飾部材と、この装飾部材に軸着部材を介して装飾部材側に弾発付勢して耳朶を保持するようにした保持体と、この保持体を略Ω形状に形成して保持体の環状部位の略中央方向に延設片を設け、この延設片の先端側に設けた丸杆に、前記耳当て体の略中央付近に固着した環状部材の貫通孔を遊嵌状態に取付けて耳当て体を環状部材を中心に上下左右に傾斜可能に設けたことを特徴とする耳飾り。
【発明の詳細な説明】
【０００１】
【発明の属する技術分野】
本発明は、イヤリングやピアス等の耳飾りに関し、詳しくは、使用者の耳にソフトな装着感を与えることができるクリップ型の耳飾りの改良に関する。
【０００２】
【従来の技術】
従来、耳飾りの一例として、装飾を施したイヤリング本体と板状の押圧部材とからなるイヤリングがあり、このイヤリングは、本体に対して押圧部材を蝶着可能に設けて本体と押圧部材とを開閉可能とし、イヤリングを耳朶に取付ける場合には、先ず蝶着部分を開いた状態にしてイヤリング本体との間に耳朶を挟み込み、続いて押圧部材を閉じるようにしてイヤリング本体と押圧部材との間に耳朶を挟着するようにしている。
【０００３】
このクリップ型のイヤリングは、ワンタッチで装着可能であり、また、イヤリング本体と押圧部材によって耳を挟む方向に弾発付勢する弾発手段を設け、この弾発手段によって装着後に耳朶を挟着した状態を自然に維持することができ、比較的外れ難いようにしたものであるため、使用しやすいイヤリングとして広く一般に普及している。
【０００４】
この耳飾りの装着性を向上させるために、各種の手段が提案されており、例えば、実公昭５０−２１５９８号公報記載のイヤリングカバーは、耳朶に当接する部位をスポンジゴムからなる保護体としたものであり、このイヤリングカバーを取付けたイヤリングで耳朶を挟むと、保護体の有する弾性力及び柔軟性によって挟着力を吸収することができるようにしたものである。
【０００５】
また、図１３に示すイヤリングは、板状部材４をシリコンゴム５で被覆して押圧部材３とし、この押圧部材３と止着板２とで耳朶を挟むようにしたイヤリングである。
【０００６】
一方、図１４に示したイヤリングは、耳朶への接触部位となる耳当て皿９を押圧部材８とは別に設け、この耳当て皿９を押圧部材８の先端側に軸着して耳当て皿９が耳朶に当接したときに耳当て皿９が回転可能になるようにしたイヤリングである。
【０００７】
装着時には、耳当て皿９が回転することで耳朶の挟着位置に対して垂直方向の自由度を有することができ、止着板７と耳当て皿９で耳朶を挟圧したときに面接触可能となるため、スポンジゴムやシリコンゴムで被覆して挟圧力を吸収しようとした場合と比較すると圧迫感や苦痛を和らげることが可能となっている。
【０００８】
【発明が解決しようとする課題】
しかしながら、実公昭５０−２１５９８号公報及び図１３に示すイヤリングは、装着時において、装着する耳朶の厚みには個人毎のバラツキがあるため、止着板２と押圧部材３によって耳朶を挟んだときに形成される挟み込みの角度によっては押圧部材３の面全体で耳朶を押さえつけることができないことがあり、挟圧時の接触面積が小さくなることがあった。このため、押圧力が耳朶の一部分に集中して加わり、装着する者にとっては圧迫感や苦痛が生じるという問題があった。
【０００９】
一方、図１４に示したイヤリングは、耳当て皿９の水平方向の自由度が殆どないため、耳朶が有する傾斜によって装着時にフィットしないことがあり、この場合、耳朶に偏荷重がかかったりする等の問題が生じ、長時間装着していると痛くなることがあり、装着時の苦痛緩和という意味では不十分であった。
【００１０】
また、押圧部材８に耳当て皿９を取付ける際に、押圧部材８の蝶着側との反対部分に対して耳当て皿９の略中央付近を軸着した構造としているため、蝶着部分から耳当て皿９までの長さが長くなり、装着したときに耳当て皿９が耳朶の本来の装着位置からずれることがあり、耳朶に違和感を感じることがあった。
【００１１】
更には、耳当て皿９を押圧部材８に対して垂直方向に回転させるような軸着構造としているために構造が複雑となり、見栄えが良くないという問題が生じていた。
【００１２】
本発明は、上述の課題点に鑑みて開発に至ったものであり、その目的とするところは、異なる形状の耳朶に対しても確実にフィットさせて長時間の装着に対しても圧迫感や苦痛を緩和させるようにした耳飾りであり、また、耳朶に対して最適な装着位置に装着することができ、装着時の違和感を感じることがなく、簡単な構造にして装飾性に優れた耳飾りを提供することにある。
【００１３】
【課題を解決するための手段】
上記の目的を達成するため、請求項１に係る発明は、一方の装飾部材と、この装飾部材に軸着部材を介して装飾部材側に弾発付勢して耳朶を保持するようにした保持体と、この保持体を略Ω形状に形成して保持体の環状部位の略中央方向に延設片を設け、この延設片の先端側に設けた丸杆に、前記耳当て体の略中央付近に固着した環状部材の貫通孔を遊嵌状態に取付けて耳当て体を環状部材を中心に上下左右に傾斜可能に設けた耳飾りである。
【００１４】
【発明の実施の形態】
本発明をより詳細に設述するために、添付の図面によってこれを説明する。
図１から図１１は、本発明における耳飾りを示したものである。図中において、１０は、各種の材料によって装飾性を有する形状に形成した飾体１１を取付け可能に設けた一方側の装飾部材であり、また、１２は、この装飾部材１０に一体に形成し、一端側を軸着可能に形成した軸着部材であり、孔状の軸着部１２ａ、１２ａを設けている。軸着部材１２は、本例においては、ろう付け等の手段によって装飾部材１０に固着しているが、保持体１３の自由端部１３ａ、１３ａが軸着可能であればその形態に拘ることはない。
【００１５】
保持体１３は、軸着部材１２を介して装飾部材１０側に弾発付勢するように装飾部材１０に設け、耳朶１をこの保持体１３と装飾部材１０との間に挟着するようにしている。保持体１３は、略Ω形状に成形し、軸着部１２ａへの取付け時には、自由端部１３ａ、１３ａを軸着部１２ａの内側から外側にそれぞれ弾発付勢させるように嵌合軸着するようにしている。
また、軸着部１２ａには、装飾部材１０の方向に向くに従って幅広となるテーパ状の切欠き部１３ｂを形成し、軸着部１２ａを中心として耳朶１を挟着する方向に保持体１３を回転させたときに、切欠き部１３ｂによって保持体１３が装飾部材１０側に弾発付勢する力が働くようにしている。
【００１６】
１４は耳当て体であり、この耳当て体１４を保持体１３に対して上下左右の方向に傾斜可能に設けている。耳当て体１４は、略球面状に設け、この球面状部位には図８に示すような適宜の数の穴部１４ａを適宜の個所に穿孔して設けている。
【００１７】
耳当て体１４は、保持体１３を構成している環状部位の略中央方向に延設するように固着して設けた延設片１５に対して取付けるようにし、保持体１３の環状部位の略中央付近に位置するようにするのが望ましいが、延設片１５を保持体１３の環状部位の外側方向に延設させ、この延設位置の先端側に配設するようにしてもよい。
【００１８】
本例における耳当て体１４は、延設片１５の先端側に設けた丸杆１５ａに対して耳当て体１４の略中央付近に固着した環状部材１６の貫通孔１７を挿通させるように遊嵌した状態で取付けているので、耳当て体１４は、図５もしくは図６の二点鎖線に示すようにこの遊嵌部分を中心としてＸ，Ｙ軸方向に沿って上下左右方向に傾斜可能となる。
【００１９】
１５ｂは固着部であり、この固着部１５ｂは、延設片１５を保持体１３に固着可能に形成している。固着部１５ｂは、図７に示すように両端付近に切欠溝１５ｃ、１５ｃを切欠いて設け、保持体１３に固着したときには、切欠溝１５ｃ、１５ｃを保持体１３の環状部位に係止させるように挿嵌させることによって取付け後に延設片１５が円周方向に回転することを防いでいる。
【００２０】
図９は、本発明における耳飾りの他例を示した斜視図である。本例においては、延設片１９に対して耳当て体１８の取付け構造を異なるように形成したものであり、延設片１９の耳当て体１８の取付け位置に対して挿通孔１９ａを穿孔し、一方、耳当て体１８の略中央部位に棒状の棒状部２０を突設して設け、挿通孔１９ａに棒状部２０を挿入した状態で挿通孔１９ａの径より大であり、球状に形成した膨頭部２０ａを固着することによって耳当て体１８が延設片１９に対して遊嵌し、耳当て体１８は図示しない保持体の弾発方向を軸として上下左右方向に傾斜可能となる。
【００２１】
図１０は、本発明における耳飾りの更に他例を示した斜視図であり、本例においては丸杆１５ａを有する延設片１５に対して突状のピン２１ａを有する耳当て体２１を遊嵌して取付け、耳飾り本体がピアス形態となるようにしたものである。
本例によると、耳飾り本体をイヤリング形態としたときの延設片１５を利用してイヤリング形態とは趣向の異なる耳飾りを設けることができ、また、更には、ピン２１ａを折畳み可能に設けるようにすればピアス形態にもイヤリング形態にも利用できる兼用型とすることができる。
【００２２】
図１１は、本発明における耳飾りの更に異なる例を示した斜視図であり、本例においては、耳当て体２２をねじ式の押し付けタイプのイヤリングとしている。
２３は、耳当て体２２の略中央付近に設けた略アーチ形状を呈する突状部であり、この突状部２３の突状位置には貫通孔２３ａを設けている。
一方、２４は、耳当て体２２を装飾部材２５側に押圧するために回転可能に設けた把持部であり、この把持部２４の耳当て体２２側におねじ部２４ａを形成している。２６は装飾部材２５と一体に形成した保持体であり、この保持体２６に設けためねじ部２６ａにおねじ部２４ａを螺入し、おねじ部２４ａの先端側を突状部２３の貫通孔２３ａに貫通させた状態で膨頭部２７を固着することによって耳当て体２２によって耳朶を挟着可能に設けている。
【００２３】
把持部２４を回転させ、耳朶を挟着する方向に耳当て体２２を移動させた場合には、耳当て体２２は、おねじ部２４ａの螺入方向を軸として上下左右方向に傾斜可能となる。
【００２４】
図１２は、他の発明における耳飾りの一例を示した斜視図である。この耳飾りは、金、銀等の金属で形成された装飾材３１及び可動装飾材３２の一対からなる装飾体３０としたものであり、耳朶に装着したときに略環形状を呈するようにしている。装飾体３０本体は、装飾材３１と可動装飾材３２を軸着部３３において軸着するように形成し、軸着部３３を中心に装飾材３１と可動装飾材３２が開閉して各自由端部３４、３５で耳朶を挟圧する構造としている。この耳飾りにおいては、自由端部３４、３５のうち、何れか一方、又は双方に耳朶の形状に合わせて挟着方向に対して上下左右の方向に傾斜可能な耳当て体３６を設けている。
【００２５】
耳当て体３６は、図９の場合と同様に膨頭部３７を設けることで装飾材３１に対して耳当て体３６が傾斜可能になるようにしているが、耳当て体３６の取付構造としてはこの構造に限ることなく、他の取付け構造によって取り付けるようにしてもよい。また、本例においては、装飾材３１の自由端部３４に対して耳当て体３６を設けているが、自由端部３５、或は、自由端部３４、３５の双方にこの耳当て体３６を設けるようにしてもよく、自由端部３４、３５の双方に耳当て体３６を設けた場合には、耳朶に対して装飾体３０本体をよりフィットさせた状態で装着することができる。
【００２６】
なお、上記実施例のように、耳当て体の取付け構造が異なった場合にも装着後の装着感が大きく異なることはなく、何れの実施例においても優れた装着感が得られ、更には、各耳当て体にゴム等の弾性部材を設けるようにすれば、挟圧力をより吸収することができる。
また、軸着部の構造としては、上記の構造以外であってもよく、各種の軸着部構造を有する耳飾りに適用することができる。
【００２７】
次に本発明における作用を説明する。
本発明の耳飾りは、装飾部材１０に設けた軸着部材１２に保持体１３を軸着して耳朶１方向に弾発付勢させ、この保持体１３には、保持体１３の弾発方向を軸として上下左右方向に傾斜可能な耳当て体１４を設けているので、この耳当て体１４は、耳朶１の傾斜に合わせて上下左右に遊動して傾斜可能となり、挟着面である耳当て体１４の接触面全体で耳朶１を挟着して挟着面全体に対して均一に押圧力を分散させることができる。
【００２８】
しかも、延設片１５に対して耳当て体１４の略中央付近を遊嵌させるようにして取付けているので、耳当て体１４全体に押圧力を分散させるようにして挟着することができる。
従って、本発明の耳飾りを装着したときには圧迫感を感じることがなく、長時間装着した場合にも挟持部分が痛くなることがない。
【００２９】
また、延設片１５の耳当て体１４の取付け部分は、保持体１３の環状部位の略中央付近になるようにしているので、耳朶１に対して装着時の違和感がなく、バランスのとれた位置に装着できる耳飾りを提供できる。しかも、耳朶１への取付位置は、製造段階において延設片１５の長さなどの形状を調節することで容易に調節のできる構造であり、また、部品点数の少ない単純な構造であるため、製造容易であり、装飾性に優れた装美な耳飾りである。
【００３０】
なお、延設片１５を取付ける際には、固着部１５ｂに設けた切欠溝１５ｃ、１５ｃを保持体１３の環状部位に挿嵌させるようにして係止しているので、装着中に延設片１５の取付位置が緩んだりすることがなく、また、耳当て体１４に耳朶から加わる力を固着部１５ｂの保持体１３との接触面全体で接触して緩和させることができる。
【００３１】
【発明の効果】
以上のことから明らかなように、本発明における耳飾りは、使用する者ごとに異なる耳朶の形状に合わせて装着することができ、耳朶に対して確実にフィットさせることによって長時間装着した場合でも圧迫感や苦痛を和らげることができる。
【００３２】
また、耳飾りの製造時において、耳朶への装着部分の寸法変更を容易に寛容することができるため、同じ構成部品からなる耳飾りであっても、耳朶への装着位置を変えることによって耳朶に対してより最適な装着位置に設けることができる。
【００３３】
更には、装着時の違和感を感じることがなく、簡単な構造にして装飾性に優れている。
【図面の簡単な説明】
【図１】  本発明における耳飾りの要部を示した斜視図である。
【図２】  本発明における耳飾りを示した斜視図である。
【図３】  図１における耳当て体の中央縦断面図である。
【図４】  耳当て体を耳朶に装着した状態を示した中央縦断面図である。
【図５】  図１の耳当て体付近を示した一部拡大縦断面図である。
【図６】  図１の耳当て体付近を示した一部拡大横断面図である。
【図７】  図２の延設片付近を示した一部切欠き横断面図である
【図８】  耳当て体の斜視図である。
【図９】  本発明における耳飾りの他例を示した斜視図である。
【図１０】  本発明における耳飾りの更に他例を示した斜視図である。
【図１１】  本発明における耳飾りの更に異なる例を示した斜視図である。
【図１２】  他の発明における耳飾りの一例を示した斜視図である。
【図１３】  従来の耳飾りの一例を示した斜視図である。
【図１４】  従来の耳飾りの他例を示した斜視図である。
【符号の説明】
１  耳朶
１０  装飾部材
１２  軸着部材
１３  保持体
１４  耳当て体
１５  延設片
１５ａ  丸杆
１６  環状部材
１７  貫通孔
１０  装飾部
１２  軸着部材
【図１】
0003883436.tif 000002
【図２】
0003883436.tif 000003
【図３】
0003883436.tif 000004
【図４】
0003883436.tif 000005
【図５】
0003883436.tif 000006
【図６】
0003883436.tif 000007
【図７】
0003883436.tif 000008
【図８】
0003883436.tif 000009
【図９】
0003883436.tif 000010
【図１０】
0003883436.tif 000011
【図１１】
0003883436.tif 000012
【図１２】
0003883436.tif 000013
【図１３】
0003883436.tif 000014
【図１４】
0003883436.tif 000015